(57)【要約】【課題】押し入れ、下駄箱内部等周囲の空気の湿度を調整でき、収納物の乾燥を維持するとともに結露、カビの発生を防止でき、また上板と下板間の間隙内の配置された調湿体は、突出等することなく押し入れ内部等のスペースを有効に最大限活用でき、しかも調湿体は間隙内に隠れるため見栄えを損なうことのない棚板構造を提供する。【解決手段】上板と、該上板との間に間隙を介して平行に配された下板とを含み、前記間隙に調湿体を配置し、かつ前記上板又は下板の少なくとも一方は、間隙と外部を連通させる透孔を有する棚板構造。【選択図】  図１
2004285743.tif 000002
【特許請求の範囲】
【請求項１】
上板と、該上板との間に間隙を介して平行に配された下板とを含み、
前記間隙に調湿体を配置し、
かつ前記上板又は下板の少なくとも一方は、間隙と外部を連通させる透孔を有することを特徴とする棚板構造。
【請求項２】
前記調湿体を、前記間隙内に取り出し可能に配置したことを特徴とする請求項１記載の棚板構造。
【請求項３】
前記上板を、複数の長尺平板を隙間を隔てて並置したすのこ状板で形成し、該隙間により前記透孔を設けたことを特徴とする請求項１又は２記載の棚板構造。
【請求項４】
前記調湿体は、少なくとも珪藻土を含む調湿材を透湿性の袋に収容して形成したことを特徴とする請求項１〜３のいずれかに記載の棚板構造。
【請求項５】
前記調湿体は、少なくとも珪藻土を含む調湿材を板状に成形したものであることを特徴とする請求項１〜３のいずれかに記載の棚板構造。
【発明の詳細な説明】
【０００１】
【発明の属する技術分野】
本発明は、収納空間等の空気湿度を適度に調整でき、かつ見栄えを良好とし、しかもスペースを有効に活用しうる棚板構造に関する。
【０００２】
【従来の技術】
従来、押し入れ、箪笥等収納空間は、閉空間として構成されるため、換気が得られない上に空気の循環も悪く、特に隅角部において結露が発生し易く、さらにはカビ等の繁殖により衛生上好ましくない環境となっている。
【０００３】
そこで、押し入れの中段棚板を無塗装の天然木を用いたすのこで形成することにより、押し入れ内全体の空気の循環を図り、無塗装の天然木の吸水作用で押入内の湿度上昇を抑制し、その結果押し入れ内の収納物が湿ったり、かびたりすることが良好に防止することが提案されている。
（例えば特許文献１）。
【０００４】
【特許文献１】
特開２０００−１２９９０４号公報（請求項１）
【０００５】
しかし、天然木による吸水能力は比較的小さいため、梅雨時期等長期に亘り高湿度環境が続くと、保水した天然木から逆に放湿することが起こるなど、その調湿能力に限界があった。
【０００６】
また、シリカゲル、塩化カルシウム等の箪笥押入用の除湿剤を使用する方法もあるが、寿命が短く頻繁な取替の手間と、コストが掛かり、収納の邪魔になるため収納スペースが制約され、更には押入の扉を開く等収納空間を開いた時に除湿剤が目立ち見栄えを悪くするという問題があった。
【０００７】
【発明が解決しようとする課題】
本発明は、以上のような問題点に鑑み案出なされたもので、押し入れ、箪笥等収納空間その他の空気湿度を適度に調整でき、かつ見栄えを良好とし、しかもスペースを有効に活用しうる棚板構造に関する。
【０００８】
【課題を解決するための手段】
本発明のうち請求項１記載の発明は、上板と、該上板との間に間隙を介して平行に配された下板とを含み、前記間隙に調湿体を配置し、かつ前記上板又は下板の少なくとも一方は、間隙と外部を連通させる透孔を有することを特徴としている。
【０００９】
また請求項２記載の発明は、前記調湿体を、前記間隙内に取り出し可能に配置したことを特徴とし、請求項３記載の発明は、前記上板を、複数の長尺平板を隙間を隔てて並置したすのこ状板で形成し、該隙間により前記透孔を設けたことを特徴としている。
【００１０】
また、請求項４記載の発明は、前記調湿体は、少なくとも珪藻土を含む調湿材を透湿性の袋に収容して形成したことを特徴とし、請求項５記載の発明は、前記調湿体は、少なくとも珪藻土を含む調湿材を板状に成形したものであることを特徴としている。
【００１１】
【発明の実施の形態】
以下本発明の実施の一形態を図面に基づき説明する。図１、図２に示す棚板構造１は、壁体４９の凹部を収納部として形成した押し入れ２７の中段の棚２８ｍ  、上段の棚２８ｕとして設けられ、上板２と、下板４と、調湿体５を具え、さらに左右の側枠２１Ｒ、２１Ｌと、該両側枠２１Ｒ、２１Ｌの真中に位置しこれに平行な中枠２２と、側枠２１Ｒ、２１Ｌ及び中枠２２の後端を繋ぐ後枠２３を有する。前記上板２、下板４、側枠２１、中枠２２、後枠２３は、本例では、檜、杉、ラワン等の木材で形成するが、軽量鉄骨材、プラスチック等を用いることもできる。
【００１２】
前記側枠２１は前記押し入れ２７の側壁２９に、前記後枠２３は前記押し入れ２７の後壁３０に、各々接着、釘、ビス等により固定される。
【００１３】
前記上板２は、複数の長尺平板７からなり、前記中枠２２と、側枠２１の対向する側面上部に形成されかつ前記長尺平板７の厚さと略同高さの段部２４で両端が支持されるとともに接着、釘、ビス等により、表面が側枠２１、中枠２２、後枠２３の上面と略整一に取付けられ、かつ前記複数の長尺平板７は３〜１５ｍｍ程度の隙間６ａを隔てて並置されて、すのこ状板８を形成する。
【００１４】
前記下板４は両側枠２１Ｒ、２１Ｌ間に亘る大きさの平板で形成され、前記側枠２１、中枠２２、後枠２３の下面に接着、釘、ビス等により固定され、かつその前縁は両側枠２１Ｒ、２１Ｌの前端下部に架設された断面Ｌ字状の前下枠２５に支持されることにより、前記上板２との間に間隙３を介して平行に配置される。
【００１５】
前記間隙３は、前記上板２の隙間６ａで形成された透孔６により外部と連通し、かつ前記両側枠２１Ｒ、２１Ｌ前端上部に架設された前上枠３１と前記前下枠２５間で前方に開口する。中枠２２を挟んで形成される前記左右の間隙３には、側枠２１、中枠２２の間隔と略同寸法の幅を有する薄箱状の引き出し３２を、前記前上枠３１と前記前下枠２５の間から前方に出入れ可能に設ける。
【００１６】
前記引き出し３２には、透湿性の袋１０に調湿材９を収容した調湿体５が収納されており、前記上板２の透孔６を介して連通する押し入れ２７内部の空気の湿度を調湿体５により調整でき、押し入れ２７内部の布団、衣類等の収納物の乾燥を維持し、かつ結露、カビの発生を防止しうる。
【００１７】
前記調湿材９は、調湿性能に優れる珪藻土、又は少なくとも珪藻土を含む混合調湿材を用いる。珪藻土以外の調湿材料としては、次のものが挙げられる。ゼオライト、セピオライトを包含する多孔質鉱物。木炭、活性炭、パルプスラッジ炭、フェライト入り炭を包含する炭。木材、オガクズなどの天然材料。塩化カルシウム、塩化マグネシウム、塩化リチウム、ケイ酸ソーダを包含する潮解性化合物。イソブチレン無水マレイン酸系樹脂、ポリアクリル酸系樹脂、グラフト化デンプンを包含する不溶性高吸水性樹脂。グリセリン、ジエチレングリコール、トリエチレングリコール、ポリアクリル酸ソーダ、ポリビニルアルコール、ポバール、ＣＭＣ、ポリエチレンオキサイド、澱粉を包含する水溶性高分子。アタバルジャイト、モンモリロナイト、ゾノトライト、活性白土を包含する粘土鉱物。これらの中から、１以上選択し珪藻土と混合して混合調湿材を得る。
【００１８】
また前記調湿材９は、塊状体、平均粒径０．３〜５ｍｍ程度の粒状体、粉状体に形成したものを使用し、編織布、不織布、紙、透湿性合成樹脂シート等で形成した矩形状の袋１０に収容し、調湿材の脱落防止のため、接着、熱融着、粘着テープ、封止金具などで開口部を封止する。
【００１９】
さらに、袋１０の中に、調湿材９に加えて、防臭剤、防カビ剤を加配することにより、押し入れ２７内の環境を一層高めることができる。
【００２０】
前記間隙３内に配置され、前記透孔６を介して押し入れ２７内の湿気を吸湿した前記調湿体５は、引き出し３２を前記間隙３から引き出すことにより簡単な操作で取り出すことができ、天火干し、加温処理等の処理で水分の放出による調湿性能の回復、調湿材９の交換等により、高い調湿性能を維持することができる。
【００２１】
また、上板２と下板４間の間隙３内に配置されるため、突出等することなく押し入れ２７の収納スペースを最大限活用でき、また間隙３内に隠れて外から見えないため見栄えを損なうこともない。
【００２２】
また、間隙３内に配置した調湿体５が、下板４の下側の空間にも直接調湿作用を及ぼすため、前記引き出し３２の底板および前記下板４に、引き出し３２が納められた状態で位置が合う透孔６を設ける変形も可能である。
【００２３】
図３に示す棚板構造１は、上板２と、下板４と、調湿体５を具え、さらに左右の側枠２１Ｒ、２１Ｌと、該両側枠２１Ｒ、２１Ｌの真中に位置しこれに平行な中枠２２と、側枠２１Ｒ、２１Ｌ及び中枠２２の後端を繋ぐ後枠２３を有する。
【００２４】
前記上板２は、複数の長尺平板７からなり、表面が側枠２１、中枠２２、後枠２３の上面と略整一に取付けられ、かつ前記複数の長尺平板７は３〜１５ｍｍ程度の隙間６ａを隔てて並置されて、すのこ状板８を形成する。
【００２５】
前記下板４は前後方向に長いスリット３３を複数隔設した下板基部３４と、該下板基部３４の前側に連続しかつ前縁に切欠凹部３５を有する前板３６とからなり、前記側枠２１、中枠２２、後枠２３の下面に接着、釘、ビス等により固定され、前記上板２との間に間隙３を介して平行に配置される。
【００２６】
前記間隙３は、前記上板２の隙間６ａ、下板４のスリット３３で形成された透孔６により上下で外部と連通し、かつ前記両側枠２１Ｒ、２１Ｌ前端上部に架設された前上枠３１と前記前板３６間で前方に開口する。中枠２２を挟んで形成される前記左右の間隙３には、側枠２１、中枠２２の間隔の半分より少し小さな幅を有し、調湿材９を板状に成形した調湿体５を、前記前上枠３１と前記前板３６間の前記開口から前方に出入れ可能に、２枚並べて配置する。
【００２７】
前記開口から挿入する調湿体５の間隙３内での位置を揃えるため、調湿体５の後端に当接する止片３７が前記下板４に設けられ、本例では、該止片３７に当接する調湿体５の前端は前記開口に位置する。
【００２８】
前記調湿体５前部の上下面には、横長の凹部３８ａからなる受部３８を設け、前記前板３６の切欠凹部３５から該受部３８を指等で手前へ引張ることにより、間隙３内の調湿体５を容易に取り出すことができる。
【００２９】
前記板状の調湿体５は、少なくとも珪藻土を含む前記と同じ調湿材９を石膏、セメント等のバインダーに加配して混練物を得、これをプレス成形、キャスティング成形等で板状に成形した後、養生硬化させる非焼成による製造方法と、粘土、鉱石等の焼成原料に調湿材９を加えた焼成による製造方法がある。
【００３０】
前記焼成による調湿体５の用いる調湿材９としては、珪藻土に加え、粉粒炭、ゼオライト、セピオライト、シリカゲル、アロフェン、イモゴライト等を１以上混合して用いることができ、これらの調湿材９を含む粘土、火成岩等の焼成原料を湿式粉砕したあと、これを造粒する。前記造粒物が含水率１３〜３０％の状態で板状に加圧した成形物を、焼成炉において８００〜１０００℃で加熱焼成して板状の調湿体５を製造する。
【００３１】
また前記調湿体５を中心層とその両側の表面層の３層に形成し、かつ表面層の調湿材９比率を多く配合することにより、該表面からの調湿機能をより高くすることができる。
【００３２】
板状に成形された調湿体５は、前記間隙３への出し入れ操作、水分放出のための天火干し、加温処理等の処理操作等の取扱いを容易とし、かつより上下高さの小さな間隙３への配置が可能なためスペースの有効活用が図れる。
【００３３】
また本例では、前記間隙３が、前記上板２の隙間６ａ及び下板４のスリット３３で形成された透孔６を介して上下で外部と連通するため、間隙３に配置された調湿体５が上板２の上方の空間と下板の下方の空間の調湿を同時になしえる。
【００３４】
図４に示す棚板構造１は、上板２と、下板４と、調湿体５を具え、さらに左右の側枠２１Ｒ、２１Ｌと、該両側枠２１Ｒ、２１Ｌの真中に位置しこれに平行な中枠２２と、側枠２１Ｒ、２１Ｌ及び中枠２２の前端、後端を繋ぐ前枠３９、後枠２３を有する。
【００３５】
前記下板４は四周を囲む前記側枠２１Ｒ、２１Ｌ、前枠３９、後枠２３と中枠２２の下面に接着、釘、ビス等により固定される。
【００３６】
前記上板２は、側枠２１と平行な複数の長尺平板７を一対の下繋ぎ３９、３９で３〜１５ｍｍ程度の隙間６ａを隔てて連結したすのこ状板８からなり、前記後枠２３と、前枠３９の対面する側面上部に形成され、かつ前記長尺平板７の厚さと略同高さの段部４０で前後端が支持されることにより、表面が側枠２１、中枠２２、後枠２３、前枠３９の上面と略整一な状態で取外し可能に支持され、しかも前記下板４との間に間隙３を形成する。
【００３７】
前記間隙３は、前記すのこ状板８の隙間６ａで形成された透孔６により外部と連通し、かつ透湿性の袋１０に調湿材９を収容した調湿体５が配置され、前記上板２の透孔６を介して連通する外部の空気の湿度が調湿体５により調整される。
【００３８】
図４に示すように、すのこ状板８を持ち上げるだけで、間隙３の上面全体が開放され、前記間隙３内に配置された前記調湿体５を簡単に取り出すことができるため、前記調湿性能の回復、調湿材９の交換等を簡単に行うことができる。
【００３９】
図５に示す棚板構造１は、下駄箱４０内部で上下複数に並ぶ靴置棚として設けられ、上板２と、下板４と、調湿体５を具え、さらに左右の側枠２１Ｒ、２１Ｌと、該両側枠２１Ｒ、２１Ｌの真中に位置しこれに平行な中枠２２と、側枠２１Ｒ、２１Ｌ及び中枠２２の前端、後端を繋ぐ前枠３９、後枠２３を有する。
【００４０】
前記下駄箱４０は、左右の両側板４１Ｒ、４１Ｌ、天板４２、底板４３、背板４４を具え、天板４２前縁の鴨居４５、底板４３前縁の敷居４６間に引き違い扉（図示せず）を設ける。
【００４１】
前記側枠２１、後枠２３は、下駄箱４０の側板４１、背板４４の内表面に固定されるが、縦に複数隔設したダボ孔に引抜き可能に嵌合したダボピンに載置することにより、高さ調整自在に取り付けることもできる。
【００４２】
前記下板４は、四周を囲む側枠２１Ｒ、２１Ｌ、前枠３９、後枠２３と中枠２２の下面に固定される。
【００４３】
前記上板２は、側枠２１の内側面上端部に形成された上板２の厚さと略同高さの段４８に載置されることにより、側枠２１Ｒ、２１Ｌ、前枠３９、後枠２３の上面と整一に支持され、かつ前記下板４との間に間隙３を形成する。尚中枠２２の上面は前記段４８の上面と同高に形成され、上板２の中間を支持する。
【００４４】
前記間隙３は、前記上板２、下板４に多数穿設された丸孔４８からなる透孔６により外部と上下で連通し、かつ透湿性の袋１０に調湿材９を収容した調湿体５が配置され、前記透孔６を介して連通する下駄箱４０内部が調湿体５により調湿される。
【００４５】
また前記上板２は、後端下部が後枠２３の前側面前端部との間は丁番金具４７で連結されて、前端が上方に起き上がり可能に形成されているため、間隙３に配置された調湿材９は前記上板２を上方に開いて取り出すことができる。
【００４６】
【発明の効果】
上述したように、本発明は、上板と、該上板との間に間隙を介して平行に配された下板とを含み、前記間隙に調湿体を配置し、かつ前記上板又は下板の少なくとも一方は、間隙と外部を連通させる透孔を有することを特徴とするため、押し入れ、下駄箱内部等周囲の空気の湿度を調整でき、収納物の乾燥を維持するとともに結露、カビの発生を防止しうる。また上板と下板間の間隙内の配置された調湿体は、突出等することなく押し入れ内部等のスペースを有効に最大限活用でき、しかも調湿体は間隙内に隠れるため見栄えを損なうこともない。
【図面の簡単な説明】
【図１】押し入れに設けられた本発明の一実施の形態を例示する斜視図である。
【図２】その拡大斜視図である。
【図３】他の形態を例示する斜視図である。
【図４】さらに他の形態を例示する斜視図である。
【図５】下駄箱に設けられた他の形態を例示する斜視図である。
【符号の説明】
２      上板
３      間隙
４      下板
５      調湿体
６      透孔
６ａ    隙間
７      長尺平板
８      すのこ状板
９      調湿材
１０      袋
【図１】
2004285743.tif 000003
【図２】
2004285743.tif 000004
【図３】
2004285743.tif 000005
【図４】
2004285743.tif 000006
【図５】
2004285743.tif 000007